(57)【要約】本発明の一実施例に係るサクションおよび洗浄機能を有する歯ブラシは、ヘッド部と把持部とを含む歯ブラシの柄、前記ヘッド部に配置されるブラシ、前記ヘッド部に形成され、口腔内部に洗浄水を供給するか、または口腔内部から汚水を吸入する通孔部、前記歯ブラシの柄の内部に配置され、前記通孔部と連結され、前記通孔部に前記洗浄水を伝達するか、または前記通孔部を通して流入した前記汚水を外部に伝達する誘導管、および前記誘導管に前記洗浄水を供給し、前記誘導管から前記汚水の伝達を受ける外部本体を含むことを特徴とする。【選択図】図１【特許請求の範囲】
【請求項１】
ヘッド部と把持部とを含む歯ブラシの柄；
前記ヘッド部に配置されるブラシ；
前記ヘッド部に形成され、口腔内部に洗浄水を供給するか、または口腔内部から汚水を吸入する通孔部；
前記歯ブラシの柄の内部に配置され、前記通孔部と連結され、前記通孔部に前記洗浄水を伝達するか、または前記通孔部を通して流入した前記汚水を外部に伝達する誘導管；および
前記誘導管に前記洗浄水を供給し、前記誘導管から前記汚水の伝達を受ける外部本体を含む、サクションおよび洗浄機能を有する歯ブラシ。
【請求項２】
前記通孔部は、
前記ヘッド部に形成され、口腔内部に前記洗浄水を供給する供給口；および
前記ヘッド部に形成され、口腔内部から前記汚水を吸入する吸入口を含み、
前記誘導管は、
前記歯ブラシの柄の内部に配置され、前記供給口と連結されて前記供給口に洗浄水を伝達する第１誘導管；および
前記歯ブラシの柄の内部に配置され、前記吸入口と連結されて前記汚水を外部に伝達する第２誘導管を含むことを特徴とする、請求項１に記載のサクションおよび洗浄機能を有する歯ブラシ。
【請求項３】
前記歯ブラシの柄の内部に配置され、前記外部本体から前記第１誘導管に前記洗浄水を供給するための第１ポンプをさらに含むことを特徴とする、請求項２に記載のサクションおよび洗浄機能を有する歯ブラシ。
【請求項４】
前記外部本体は、前記第１誘導管に前記洗浄水を供給する第１ポンプ；
前記洗浄水を貯蔵する第１貯蔵部；
前記第２誘導管から前記汚水を吸入する第２ポンプ；
前記第２誘導管から伝達される汚水を貯蔵する第２貯蔵部；および
前記第１ポンプおよび第２ポンプを制御する制御部を含むことを特徴とする、請求項２に記載のサクションおよび洗浄機能を有する歯ブラシ。
【請求項５】
前記把持部に配置されるスイッチをさらに含むことを特徴とする、請求項４に記載のサクションおよび洗浄機能を有する歯ブラシ。
【請求項６】
前記制御部は、前記スイッチの動作によって前記第１ポンプの洗浄水供給強度および前記第２ポンプの汚水吸入強度を制御することを特徴とする、請求項５に記載のサクションおよび洗浄機能を有する歯ブラシ。
【請求項７】
前記外部本体は、前記制御部、第１ポンプおよび第２ポンプに電源を供給するバッテリーをさらに含むことを特徴とする、請求項４に記載のサクションおよび洗浄機能を有する歯ブラシ。
【請求項８】
前記第２誘導管は、前記ヘッド部と前記把持部が連結される部分で直径が狭くなることを特徴とする、請求項２に記載のサクションおよび洗浄機能を有する歯ブラシ。
【請求項９】
前記供給口は、前記外部本体から前記第１誘導管を通して洗浄水が伝達される場合にのみ開放されることを特徴とする、請求項２に記載のサクションおよび洗浄機能を有する歯ブラシ。
【請求項１０】
前記供給口は、前記ヘッド部の前記ブラシの形成面に配置されることを特徴とする、請求項９に記載のサクションおよび洗浄機能を有する歯ブラシ。
【請求項１１】
前記ヘッド部は、前記ヘッド部の前記ブラシの形成面に配置されるカメラを含むことを特徴とする、請求項２に記載のサクションおよび洗浄機能を有する歯ブラシ。
【請求項１２】
前記ヘッド部は、口腔内部の健康状態を感知するセンサを含むことを特徴とする、請求項２に記載のサクションおよび洗浄機能を有する歯ブラシ。
【請求項１３】
前記歯ブラシの柄の内部に配置され、前記ヘッド部に向かって発光する発光部をさらに含むことを特徴とする、請求項２に記載のサクションおよび洗浄機能を有する歯ブラシ。
【請求項１４】
前記吸入口は、
前記ヘッド部の一端に前記第２誘導管の長手方向と並んでいる方向に開口することを特徴とする、請求項２に記載のサクションおよび洗浄機能を有する歯ブラシ。
【請求項１５】
前記第１誘導管および前記第２誘導管は、前記外部本体と連結チューブを通して互いに連結され、前記連結チューブは、前記把持部に脱着可能に連結されることを特徴とする、請求項２に記載のサクションおよび洗浄機能を有する歯ブラシ。
【発明の詳細な説明】
【技術分野】
【０００１】
本発明は、サクションおよび洗浄機能を有する歯ブラシに関し、特に、洗浄水および汚水貯蔵が可能な外部本体を含み、さらに衛生的で使用者の便宜性が向上したサクションおよび洗浄機能を有する歯ブラシに関する。
【背景技術】
【０００２】
一般的に、歯ブラシ（Ｔｏｏｔｈｂｒｕｓｈ）は、歯の健康管理と衛生清潔のために歯磨き粉をつけて歯磨きをするために使われる道具であって、スティック形態の把持部と、把持部の先端に形成された胴体に細い毛部材がぎっしり植毛されるブラシとを含む。歯洗浄時には、歯ブラシのブラシを歯に当ててブラッシングしながら口腔内の含嗽水を除去する行動を繰り返すこととなり、ブラッシングを終えると、洗浄水で口腔内を洗浄し、含嗽水を吐き出すようになる。
【０００３】
ところが、歯磨きが終わって口腔内部を洗浄するためには、洗浄水を飲んでうがいして吐き出す動作を数回しなければならないので、使用者の立場で面倒さがある。また、挙動が不便な障害者や老人または重症患者の中で一人で歯磨きをすることが困難であり、誰かの助けで歯磨きをしなければならない場合がある。このように、他人の助けで歯磨きをする場合、含嗽水が喉を通る場合が発生し得、飲み込み障害がある患者の場合は、含嗽水が食道を通るようになるので、歯磨き時に不便さが発生し得る。従って、より便利で、衛生的かつ安全に歯磨きができる方案が必要な実情である。
【発明の概要】
【発明が解決しようとする課題】
【０００４】
本発明の一目的は、衛生的で使用者の便宜性が向上したサクションおよび洗浄機能を有する歯ブラシを提供することにある。
【０００５】
本発明の技術的課題は、以上において言及した技術的課題に制限されず、言及されていないまた他の技術的課題は、下記の記載から当業者に明確に理解され得るだろう。
【課題を解決するための手段】
【０００６】
前記のような課題を解決するために、本発明の一実施例に係るサクションおよび洗浄機能を有する歯ブラシは、ヘッド部と把持部とを含む歯ブラシの柄、前記ヘッド部に配置されるブラシ、前記ヘッド部に形成され、口腔内部に洗浄水を供給するか、または口腔内部から汚水を吸入する通孔部、前記歯ブラシの柄の内部に配置され、前記通孔部と連結され、前記通孔部に前記洗浄水を伝達するか、または前記通孔部を通して流入した前記汚水を外部に伝達する誘導管、および前記誘導管に前記洗浄水を供給し、前記誘導管から前記汚水の伝達を受ける外部本体を含むことを特徴とする。
【０００７】
好ましくは、前記通孔部は、前記ヘッド部に形成され、口腔内部に前記洗浄水を供給する供給口、および前記ヘッド部に形成され、口腔内部から前記汚水を吸入する吸入口を含み、前記誘導管は、前記歯ブラシの柄の内部に配置され、前記供給口と連結されて前記供給口に洗浄水を伝達する第１誘導管、および前記歯ブラシの柄の内部に配置され、前記吸入口と連結されて前記汚水を外部に伝達する第２誘導管を含むことができる。また、好ましくは、前記歯ブラシの柄の内部に配置され、前記外部本体から前記第１誘導管に前記洗浄水を供給するための第１ポンプをさらに含むことができる。
【０００８】
また、好ましくは、前記外部本体は、前記第１誘導管に前記洗浄水を供給する第１ポンプ、前記洗浄水を貯蔵する第１貯蔵部、前記第２誘導管から前記汚水を吸入する第２ポンプ、前記第２誘導管から伝達される汚水を貯蔵する第２貯蔵部、および、前記第１ポンプおよび第２ポンプを制御する制御部を含むことができる。
【０００９】
また、好ましくは、前記把持部に配置されるスイッチをさらに含むことができる。
【００１０】
また、好ましくは、前記制御部は、前記スイッチの動作によって前記第１ポンプの洗浄水供給強度および前記第２ポンプの汚水吸入強度を制御することができる。
【００１１】
また、好ましくは、前記外部本体は、前記制御部、第１ポンプおよび第２ポンプに電源を供給するバッテリーをさらに含むことができる。
【００１２】
また、好ましくは、前記第２誘導管は、前記ヘッド部と前記把持部が連結される部分で直径が狭くなり得る。
【００１３】
また、好ましくは、前記供給口は、前記外部本体から前記第１誘導管を通して洗浄水が伝達される場合にのみ開放され得る。
【００１４】
また、好ましくは、前記供給口は、前記ヘッド部の前記ブラシの形成面に配置され得る。
【００１５】
また、好ましくは、前記ヘッド部は、前記ヘッド部の前記ブラシの形成面に配置されるカメラを含むことができる。
【００１６】
また、好ましくは、前記ヘッド部は、口腔内部の健康状態を感知するセンサを含むことができる。
【００１７】
また、好ましくは、前記歯ブラシの柄の内部に配置され、前記ヘッド部に向かって発光する発光部をさらに含むことができる。
【００１８】
また、好ましくは、前記吸入口は、前記ヘッド部の一端に前記第２誘導管の長手方向と並んでいる方向に開口できる。
【００１９】
また、好ましくは、前記第１誘導管および前記第２誘導管は、前記外部本体と連結チューブを通して互いに連結され、前記連結チューブは、前記把持部に脱着可能に連結され得る。
【発明の効果】
【００２０】
本発明の一実施例に係るサクションおよび洗浄機能を有する歯ブラシは、外部本体を通して洗浄水を供給し、汚水を吸入して貯蔵し、歯ブラシの柄の内部に洗浄水および／または汚水が貯蔵されないようにすることで、歯ブラシの柄の重さを減らし、使用者の便宜を向上させることができる効果がある。
【図面の簡単な説明】
【００２１】
【図１】本発明の一実施例に係るサクションおよび洗浄機能を有する歯ブラシを示す。
【図２】本発明の他の実施例に係るサクションおよび洗浄機能を有する歯ブラシを示す。
【図３】本発明の他の実施例に係るサクションおよび洗浄機能を有する歯ブラシを示す。
【図４】本発明の他の実施例に係るサクションおよび洗浄機能を有する歯ブラシを示す。
【図５】本発明のまた他の実施例に係るサクションおよび洗浄機能を有する歯ブラシを示す。
【発明を実施するための形態】
【００２２】
以下、本発明の一部の実施例を例示的な図面を通して詳細に説明する。各図面の構成要素に参照符号を付するにあたって、同じ構成要素に対しては、他の図面上に表示されても、できる限り同じ符号を有するようにしていることに留意すべきである。また、本発明の実施例を説明するにあたって、関連の公知構成または機能についての具体的な説明が本発明の実施例に対する理解を妨害すると判断される場合は、その詳細な説明は省略する。
【００２３】
本発明の実施例の構成要素を説明するにあたって、第１、第２、Ａ、Ｂ、（ａ）、（ｂ）等の用語を用いることができる。このような用語は、その構成要素を他の構成要素と区別するためのものであるだけで、その用語により該当構成要素の本質や手順または順序等は限定されない。また、異に定義されない限り、技術的または科学的な用語を含めてここで用いられる全ての用語は、本発明の属する技術の分野における通常の知識を有する者により一般的に理解されるものと同一の意味を有する。一般的に用いられる辞書に定義されているような用語は、関連技術の文脈上有する意味と一致する意味を有するものと解釈されるべきであり、本出願において明らかに定義しない限り、理想的または過度に形式的な意味に解釈されない。
【００２４】
図１は、本発明の一実施例に係るサクションおよび洗浄機能を有する歯ブラシを示す。
【００２５】
図１を参照すると、本発明の一実施例に係るサクションおよび洗浄機能を有する歯ブラシ１００は、歯ブラシの柄１１０、ヘッド部１２０、把持部１３０、ブラシ１２１、通孔部１２３および誘導管１５０などを含むことができる。
【００２６】
歯ブラシの柄１１０は、ヘッド部１２０と把持部１３０とを含むことができる。歯ブラシの柄１１０は、ブラシ１２１が付けられた一端のヘッド部１２０から他端に延びるロッド（ｒｏｄ）形状で設けられ得、他端側には、把持部１３０が設けられ得る。一例として、前記把持部１３０は、使用者のグリップ感を向上させるためにブラシ１２１方向に凸な形状を有することができる。
【００２７】
歯ブラシの柄１１０のヘッド部１２０には、使用者の歯と摩擦されるブラシ１２１が形成され得、口腔内部に洗浄水を供給するか、または口腔内部から汚水を吸入するための通孔部１２３がさらに形成され得る。
【００２８】
誘導管１５０は、歯ブラシの柄１１０の内部に配置され、歯ブラシの柄１１０に沿って延設され得る。誘導管１５０は、一端は、通孔部１２３と連結され、他端は、外部本体１６０と連結され得る。外部本体１６０により提供される正圧により、誘導管１５０は、外部本体１６０から洗浄水の伝達を受け、伝達を受けた洗浄水を通孔部１２３を通して口腔内部に供給することができ、外部本体１６０により提供される負圧により、前記誘導管１５０は、通孔部１２３を通して汚水を吸入することができ、吸入した汚水を外部本体１６０に伝達することができる。図１に示されたように、誘導管１５０は、歯ブラシの柄１１０の長手方向に沿って延び得、歯ブラシの柄１１０の外部に引き出されて外部本体１６０と連結され得る。
【００２９】
通孔部１２３は、ヘッド部１２０の一端、好ましくは、末端に形成され得る。一例として、前記通孔部１２３は、図１に示されたように、誘導管１５０の長手方向と並んでいる方向に開口する構造に形成され得る。これによって、本発明の一実施例に係るサクションおよび洗浄機能を有する歯ブラシ１００は、通孔部１２３が誘導管１５０の長手方向と並んでいる方向に開口することで、負圧（吸い込む圧力）が向上する効果がある。
【００３０】
一方、前記誘導管１５０は、ヘッド部１２０と把持部１３０が連結される部分Ｂで直径が狭くなるように構成され得る。従って、通孔部１２３を通して吸入された異物が直径が狭くなる部分Ｂでかかるため、外部本体１６０の内部に異物が引き入れられ、故障の危険になることを防止することができる。使用者は、前記通孔部１２３に挿入可能な清掃用具を利用して誘導管１５０の内部を洗浄することができる。
【００３１】
また、歯ブラシの柄１１０の把持部１３０とヘッド部１２０が会う領域に発光部１２６が配置され得る。前記発光部１２６は、ヘッド部１２０の内部に向かって光を発光することができ、前記ヘッド部１２０は、透明な材質に形成され得る。これによって、前記発光部１２６から発散した光が透明な材質に形成されたヘッド部１２０の内部で全反射（Ｔｏｔａｌ  ｉｎｔｅｒｎａｌ  ｒｅｆｌｅｃｔｉｏｎ）することでブラシ１２１の周辺を明るく照らすことができる。即ち、透明な材質に形成されたヘッド部１２０が光ファイバーのような役割をするようになって、光が口腔内部に照射されることで口腔内部の観察を容易にし、幼児や児童の注目を集めるか、または歯磨きの過程で興味を起こすことができる。一方、前記発光部１２６の配置位置は、例示的なものであって、ヘッド部１２０の一領域や把持部１３０の一領域など、様々な位置に配置され得、前記発光部１２６は、白色であってよいが、これに限定されるものではなく、様々な色相に変更され得る。
【００３２】
また、歯ブラシの柄１１０のヘッド部１２０は、ブラシ１２１の形成面に配置されるカメラ１２５をさらに含むことができる。前記カメラ１２５は、使用者の口腔内部を撮影して映像データを生成することができ、撮影された映像データは、歯ブラシの柄１１０や外部本体１６０に備えられる通信モジュール（図示しない）を通して使用者端末（例：スマートフォン、タブレットＰＣ、ＰＣなど）に伝送され、口腔内部の健康状態などを確認するのに用いられ得る。
【００３３】
また、歯ブラシの柄１１０のヘッド部１２０は、ブラシ１２１の形成面に配置され、口腔内部の健康状態を感知するセンサ１２４をさらに含むことができる。例えば、前記センサ１２４は、歯周疾患、炎症成分、および／または口腔内部のｐＨ濃度を感知するためのセンサであってよい。センサ１２４を通して感知されたデータは、前記通信モジュール（図示しない）を通して使用者端末に伝送され、口腔内部の健康状態などを確認するのに用いられ得る。
【００３４】
歯ブラシの柄１１０の中央部には、洗浄水供給および／または汚水吸入動作を制御するためのスイッチ１４０が設けられ得る。例えば、スイッチ１４０の操作によって外部本体１６０が作動し、誘導管１５０および通孔部１２３を通して口腔内部に洗浄水を供給するか、または口腔内部から汚水を吸入することができる。また、スイッチ１４０の操作によって外部本体１６０の洗浄水の供給強度（即ち、正圧の強度）および／または汚水の吸入強度（即ち、負圧の強度）が調節され得る。
【００３５】
歯ブラシの柄１１０の背面には、電源供給装置（図示しない）からの充電のための充電用接続端子Ｅが設けられ得る。充電用接続端子Ｅは、互いに異なる正極性と負極性を有する二つの電極端子で設けられ得る。図１においては、歯ブラシの柄１１０の末端を通して誘導管１５０が引き出されるので、直立姿勢で据え置き台（図示しない）を通した充電が難しく、歯ブラシの柄１１０の背面側に充電のための充電用接続端子Ｅを構成することができる。
【００３６】
外部本体１６０は、誘導管１５０を通して歯ブラシの柄１１０と連結され得る。また、図１に示されてはいないが、前記外部本体１６０は、スイッチ１４０や通信モジュール（図示しない）と連結される電線を通して歯ブラシの柄１１０と連結され得る。外部本体１６０は、誘導管１５０を通して正圧を利用して通孔部１２３に洗浄水を伝達するか、または負圧を利用して通孔部１２３から汚水を吸入することができる。
【００３７】
一方、図１に示されてはいないが、幼児の注目を集め、興味を起こすためのスピーカー（図示しない）が外部本体１６０または歯ブラシの柄１１０に形成され得る。これによって、前記スピーカーは、本発明の一実施例に係るサクションおよび洗浄機能を有する歯ブラシ１００を利用して歯磨きをする間に音楽を再生する等の役割をすることができる。
【００３８】
また、前記外部本体１６０は、前記歯ブラシの柄１１０を据え置きできる据え置き台（図示しない）が形成され得、歯ブラシの柄１１０は、ヘッド部１２０が挿入される形態で前記据え置き台に据え置かれ得る。前記据え置き台の内部には、ヘッド部１２０の通孔部１２３が位置した所に殺菌のための紫外線ランプが配置され得る。据え置き台の入口には、開け閉め開閉装置が形成され、歯ブラシの柄１１０を据え置き台に据え置きした後、外部との露出を遮断することができ、開け閉め開閉装置の開閉によって紫外線ランプが動作するか否かが決定される形態で具現され得る。
【００３９】
上述したように、本発明の一実施例に係るサクションおよび洗浄機能を有する歯ブラシ１００は、外部本体１６０を通して洗浄水を供給し、汚水を吸入して貯蔵し、歯ブラシの柄１１０の内部に洗浄水および／または汚水が貯蔵されないようにすることで、歯ブラシの柄１１０の重さを減らし、使用者の便宜を向上させることができる。また、ヘッド部１２０と把持部１３０が連結される部分Ｂで誘導管１５０の直径が狭くなるように構成し、汚水の伝達過程で発生し得る異物の掃除が容易である。
【００４０】
図２は、本発明の他の実施例に係るサクションおよび洗浄機能を有する歯ブラシを示す。
【００４１】
図２を参照すると、本発明の他の実施例に係るサクションおよび洗浄機能を有する歯ブラシ２００は、歯ブラシの柄２１０、ヘッド部２２０、把持部２３０、ブラシ２２１、供給口２２２、吸入口２２３、第１誘導管２５０、第２誘導管２５１などを含むことができる。図２に示された本発明の他の実施例に係るサクションおよび洗浄機能を有する歯ブラシ２００は、図１を参照して上述した歯ブラシ１００と全体的に類似しているが、通孔部１２３が供給口２２２および吸入口２２３に分離されて形成され、誘導管１５０が第１誘導管２５０および第２誘導管２５１に分離されて形成される等の相違点がある。
【００４２】
歯ブラシの柄２１０は、ヘッド部２２０と把持部２３０とを含むことができる。歯ブラシの柄２１０のヘッド部２２０には、使用者の歯と摩擦されるブラシ２２１が形成され得、口腔内部に洗浄水を供給するための供給口２２２および口腔内部から汚水を吸入するための吸入口２２３がさらに形成され得る。
【００４３】
供給口２２２は、ヘッド部２２０のブラシ２２１の形成面に配置され得、第１誘導管２５０と連結され得る。一例として、前記供給口２２２は、外部本体２６０から第１誘導管２５０を通して洗浄水が伝達される場合にのみ開放されるように構成され得る。前記供給口２２２は、ヘッド部２２０の様々な領域に形成され得る。
【００４４】
第１誘導管２５０は、歯ブラシの柄２１０の内部に配置され、歯ブラシの柄２１０に沿って延設され得る。第１誘導管２５０は、一端は、供給口２２２と連結され、他端は、外部本体２６０と連結され得る。外部本体２６０により提供される正圧により、前記第１誘導管２５０は、外部本体２６０から洗浄水の伝達を受け、伝達を受けた洗浄水を供給口２２２を通して口腔内部に供給することができる。図２に示されたように、第１誘導管２５０は、歯ブラシの柄２１０の長手方向に沿って延び得、歯ブラシの柄２１０の外部に引き出され、外部本体２６０と連結され得る。
【００４５】
吸入口２２３は、ヘッド部２２０の一端、好ましくは、末端に形成され得る。例えば、吸入口２２３は、供給口２２２と異なる方向に配置され得る。吸入口２２３は、口腔内部からの汚水を案内するための第２誘導管２５１と連結され得る。一例として、前記吸入口２２３は、図１に示されたように、第２誘導管２５１の長手方向と並んでいる方向に開口する構造に形成され得る。これによって、本発明の他の実施例に係るサクションおよび洗浄機能を有する歯ブラシ２００は、吸入口２２３が第２誘導管２５１の長手方向と並んでいる方向に開口することで、負圧（吸い込む圧力）が向上する効果がある。
【００４６】
第２誘導管２５１は、歯ブラシの柄２１０の内部に配置され、歯ブラシの柄２１０に沿って延設され得る。第２誘導管２５１は、一端は、吸入口２２３と連結され、他端は、外部本体２６０と連結され得る。外部本体２６０により提供される負圧によって、前記第２誘導管２５１は、吸入口２２３を通して汚水を吸入することができ、吸入した汚水を外部本体２６０に伝達することができる。第２誘導管２５１は、歯ブラシの柄２１０の長手方向に沿って延び得、歯ブラシの柄２１０の外部に引き出され、外部本体２６０と連結され得る。
【００４７】
一方、前記第２誘導管２５１は、ヘッド部２２０と把持部２３０が連結される部分Ｂで直径が狭くなるように構成され得る。また、他の実施例として、前記第２誘導管２５１は、吸入口２２３側が狭く、内側が広い形態であってもよい。この場合、図５を参照して後述するように、ヘッド部２２０の部分を分離して第２誘導管２５１の内部を掃除することが可能である。一方、また他の実施例として、本発明の他の実施例に係るサクションおよび洗浄機能を有する歯ブラシ２００は、前記第２誘導管２５１の一領域、好ましくは、吸入口２２３と隣接した部分にろ過網（図示しない）が形成され、異物が引き入れられることを防止することもできる。
【００４８】
また、歯ブラシの柄２１０の把持部２３０とヘッド部２２０が会う領域に発光部２２６が配置され得、歯ブラシの柄２１０のヘッド部２２０は、ブラシ２２１の形成面に配置されるカメラ２２５をさらに含むことができ、歯ブラシの柄２１０のヘッド部２２０は、ブラシ２２１の形成面に配置され、口腔内部の健康状態を感知するセンサ２２４をさらに含むことができる。前記発光部２２６、カメラ２２５およびセンサ２２４は、図１を参照して上述した発光部１２６、カメラ１２５およびセンサ１２４と類似しているので、詳細な説明は省略する。
【００４９】
歯ブラシの柄２１０の中央部には、洗浄水供給および／または汚水吸入動作を制御するためのスイッチ２４０が設けられ得る。例えば、スイッチ２４０の操作によって外部本体２６０が作動し、第１誘導管２５０および供給口２２２を通して口腔内部に洗浄水を供給するか、または第２誘導管２５１および吸入口２２３を通して口腔内部から汚水を吸入することができる。
【００５０】
歯ブラシの柄２１０の背面には、電源供給装置（図示しない）からの充電のための充電用接続端子Ｅが設けられ得る。前記充電用接続端子Ｅは、図１を参照して上述したので、詳細な説明は省略する。
【００５１】
外部本体２６０は、第１誘導管２５０および第２誘導管２５１を通して歯ブラシの柄２１０と連結され得る。また、図１に示されてはいないが、前記外部本体２６０は、スイッチ２４０や通信モジュール（図示しない）と連結される電線を通して歯ブラシの柄２１０と連結され得る。外部本体２６０は、第１誘導管２５０を通して正圧を利用して供給口２２２に洗浄水を伝達することができる。外部本体２６０は、第２誘導管２５１を通して負圧を利用して吸入口２２３から汚水を吸入することができる。
【００５２】
一方、図２に示されてはいないが、幼児の注目を集め、興味を起こすためのスピーカー（図示しない）が外部本体２６０または歯ブラシの柄２１０に形成され得る。また、前記外部本体２６０は、前記歯ブラシの柄２１０を据え置きできる据え置き台（図示しない）が形成され得、歯ブラシの柄２１０は、ヘッド部２２０が挿入される形態で前記据え置き台に据え置かれ得る。前記スピーカーおよび据え置き台は、図１を参照して上述したので、詳細な説明は省略する。
【００５３】
上述したように、本発明の他の実施例に係るサクションおよび洗浄機能を有する歯ブラシ２００は、外部本体２６０を通して洗浄水を供給し、汚水を吸入して貯蔵し、歯ブラシの柄２１０の内部に洗浄水および／または汚水が貯蔵されないようにすることで、歯ブラシの柄２１０の重さを減らし、使用者の便宜を向上させることができる。また、洗浄水を供給する第１誘導管２５０と汚水を吸入する第２誘導管２５１が互いに分離されて形成されるため、洗浄水と汚水が互いに混合される恐れがなく、清潔を維持できる効果がある。また、ヘッド部２２０と把持部２３０が連結される部分Ｂで第２誘導管２５１の直径が狭くなるように構成し、汚水の伝達過程で発生し得る異物の掃除が容易である。
【００５４】
図３は、本発明の他の実施例に係るサクションおよび洗浄機能を有する歯ブラシを示す。
【００５５】
具体的に、図３においては、図２の外部本体２６０がさらに具体的に示される。以下において、図２を参照して説明した構成については、不要な説明の重複を避けるために省略される。
【００５６】
図３を参照すると、外部本体２６０は、第１誘導管２５０に洗浄水を供給する第１ポンプ２６１、洗浄水を貯蔵する第１貯蔵部２６２、第２誘導管２５１から汚水を吸入する第２ポンプ２６３、第２誘導管２５１から伝達される汚水を貯蔵する第２貯蔵部２６４、第１ポンプ２６１および第２ポンプ２６３を制御する制御部２６５、および第１ポンプ２６１、第２ポンプ２６３、制御部２６５に電源を供給するバッテリー２６６を含むことができる。
【００５７】
第１ポンプ２６１は、第１誘導管２５０に正圧を提供し、第１貯蔵部２６２から洗浄水が第１誘導管２５０を通して供給口２２２に伝達されるようにすることができる。即ち、供給口２２２は、第１ポンプ２６１と連結され、第１ポンプ２６１の作動によって供給口２２２には正圧が作用するようになり、第１貯蔵部２６２に貯蔵された洗浄水は、正圧の作用によって供給口２２２に供給される。
【００５８】
一例として、第１ポンプ２６１は、第１誘導管２５０に脈動水を伝達するための脈動ポンプであってよい。前記脈動水は、１分当たり数百〜数千回のパルスによって噴射される水であって、スタッカートスタイルの水流であってよい。実施例によって、前記脈動ポンプは、第１誘導管２５０に歯車形態を配置し、一定の時間間隔で回転させることにより脈動水を発生させる形態で具現され得、ピストン方式のソレノイドポンプのような形態で具現されてもよい。
【００５９】
第２ポンプ２６３は、第２誘導管２５１に負圧を提供し、吸入口２２３から汚水が第２誘導管２５１を通して第２貯蔵部２６４に伝達されるようにすることができる。即ち、吸入口２２３は、第２ポンプ２６３と連結され、第２ポンプ２６３の作動によって吸入口２２３には負圧が作用するようになり、口腔内に存在する汚水は、負圧の作用によって吸入口２２３に強制流入する。従って、使用者は、歯洗浄を持続しながら別途の動作なしに、口腔内の汚水を口腔外に排出できる効果がある。
【００６０】
制御部２６５は、第１ポンプ２６１および第２ポンプ２６３の動作を制御することができる。例えば、制御部２６５は、スイッチ２４０の動作によって第１ポンプ２６１および／または第２ポンプ２６３の動作を制御することで正圧および／または負圧の強度を制御することができる。
【００６１】
一方、図３には、洗浄水を供給するための第１誘導管２５０と汚水を吸入するための第２誘導管２５１が別途形成されるものと示されているが、図１に示されたように、実施例によって、前記第１誘導管２５０と第２誘導管２５１は、歯ブラシの柄１１０の内部に配置され、通孔部１２３と連結されて通孔部１２３に洗浄水を伝達するか、または通孔部１２３を通して流入した汚水を外部に伝達する一つの誘導管１５０に統合され得、ここに正圧を提供する第１ポンプ２６１と負圧を提供する第２ポンプ２６３の機能が結合されたポンプが連結され、洗浄水供給と汚水吸入を同時に遂行することもできる。前記ポンプは、第１貯蔵部２６２および第２貯蔵部２６４と別途の通路を通して連結され、洗浄水と汚水が互いに混合されることを防止することができる。
【００６２】
図４は、本発明の他の実施例に係るサクションおよび洗浄機能を有する歯ブラシを示す。
【００６３】
具体的に、図４においては、図３の実施例とは異なり、第１ポンプ２６１が歯ブラシの柄２１０の内部に配置される場合が示される。以下において、図１乃至図３を参照して説明した構成については、不要な説明の重複を避けるために省略される。
【００６４】
図４を参照すると、第１ポンプ２６１は、歯ブラシの柄２１０の把持部２３０の内部に配置され得る。しかし、第１ポンプ２６１の配置は、これに限定されるものではなく、歯ブラシの柄２１０のヘッド部２２０の内部に配置されてもよい。第１ポンプ２６１は、第１誘導管２５０に正圧を提供し、第１貯蔵部２６２から洗浄水が第１誘導管２５０を通して供給口２２２に伝達されるようにすることができる。例えば、第１ポンプ２６１は、第１誘導管２５０に脈動水を伝達するための脈動ポンプであってよい。即ち、供給口２２２は、第１ポンプ２６１と連結され、第１ポンプ２６１の作動によって供給口２２２には正圧が作用するようになり、第１貯蔵部２６２に貯蔵された洗浄水は、正圧の作用によって供給口２２２に供給され得る。
【００６５】
一方、図４には、第１ポンプ２６１が歯ブラシの柄２１０の内部に配置されるものと示されているが、これは例示的なものであって、第１ポンプ２６１の代わりに第２ポンプ２６３が歯ブラシの柄の内部に配置され、第１ポンプ２６１は、外部本体２６０の内部に配置されてもよい。この場合、第２ポンプ２６３の作用は、図３を参照して上述したものと類似しているので、詳細な説明は省略する。
【００６６】
図５は、本発明のまた他の実施例に係るサクションおよび洗浄機能を有する歯ブラシを示す。
【００６７】
図５を参照すると、本発明のまた他の実施例に係るサクションおよび洗浄機能を有する歯ブラシ３００は、図１または図２を参照して上述した歯ブラシ１００、２００と全体的に類似しているが、歯ブラシの柄３１０がヘッド部３２０および把持部３３０が分離可能に設けられ得る。ヘッド部３２０および把持部３３０は、連結部３８０を通して結合され得る。例えば、歯ブラシの柄３１０のヘッド部３２０が分離可能に設計されたことは、ブラシ３２１の取り替えのための目的に寄与できる。使用者は、古くなったブラシ３１１を含むヘッド部３２０を廃棄し、新たなブラシ３２０を含むヘッド部３２０に取り替えることができる。
【００６８】
一方、歯ブラシの柄３１０の把持部３３０が分離可能に設計されたことは、図４を参照して説明した第１ポンプ３６１の修理、交換のための目的に寄与できる。即ち、図４を参照して説明したように、歯ブラシの柄３１０の内部には、供給口３２２および第１誘導管３５０と連結される第１ポンプ３６１が配置され得る。歯ブラシの柄３１０の把持部３３０が分離可能に組み立てられることで、第１ポンプ３６１の修理点検や交換の便宜を向上させることができる。
【００６９】
また、図２を参照して説明したように、ヘッド部３２０と把持部３３０が連結される部分Ｂで第２誘導管３５１の直径が狭くなるように構成し、ヘッド部３２０と把持部３３０が分離される場合、汚水の伝達過程で発生し得る浮遊物の掃除が容易である。
【００７０】
また、実施例によって、本発明のまた他の実施例に係るサクションおよび洗浄機能を有する歯ブラシ３００は、外部本体３６０と第１誘導管３５０および第２誘導管３５１を互いに連結する連結チューブ３５５をさらに含むことができる。前記連結チューブ３５５は、図５に示されたように、把持部３３０の一端に脱着可能に連結され得、実施例によって外部本体３６０とも互いに分離され得る。本発明のまた他の実施例に係るサクションおよび洗浄機能を有する歯ブラシ３００は、歯ブラシの柄３１０が外部本体３６０と分離され得るので、維持／補修性が向上でき、場合によって歯ブラシの柄３１０を一般の歯ブラシのように使用することもできる長所がある。
【００７１】
以上の説明は、本発明の技術思想を例示的に説明したことに過ぎないものであって、本発明の属する技術の分野における通常の知識を有する者であれば、本発明の本質的な特性から外れない範囲で様々な修正及び変形が可能であるだろう。
【００７２】
従って、本発明に開示された実施例は、本発明の技術思想を限定するためのものではなく、説明するためのものであり、このような実施例によって本発明の技術思想の範囲が限定されるものではない。本発明の保護範囲は、下記の請求の範囲によって解釈されるべきであり、それと同等な範囲内にある全ての技術思想は、本発明の権利範囲に含まれるものと解釈されるべきである。
【図１】
2018507744.tif 000002
【図２】
2018507744.tif 000003
【図３】
2018507744.tif 000004
【図４】
2018507744.tif 000005
【図５】
2018507744.tif 000006
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
ヘッド部と把持部とを含む歯ブラシの柄；
前記ヘッド部に配置されるブラシ；
前記ヘッド部に形成され、口腔内部に洗浄水を供給するか、または口腔内部から汚水を吸入する通孔部；
前記歯ブラシの柄に配置され、前記通孔部と連結され、前記通孔部に前記洗浄水を伝達するか、または前記通孔部を通して流入した前記汚水を外部に伝達する誘導管；および
前記誘導管に前記洗浄水を供給するか、または前記誘導管から前記汚水の伝達を受ける外部本体を含む、サクションおよび洗浄機能を有する歯ブラシ。
【請求項２】
前記通孔部は、
前記ヘッド部に形成され、口腔内部に前記洗浄水を供給する供給口；および
前記ヘッド部に形成され、口腔内部から前記汚水を吸入する吸入口を含み、
前記誘導管は、
前記歯ブラシの柄に配置され、前記供給口と連結されて前記供給口に洗浄水を伝達する第１誘導管；および
前記歯ブラシの柄に配置され、前記吸入口と連結されて前記汚水を外部に伝達する第２誘導管を含むことを特徴とする、請求項１に記載のサクションおよび洗浄機能を有する歯ブラシ。
【請求項３】
前記歯ブラシの柄に配置され、前記外部本体から前記第１誘導管に前記洗浄水を供給するための第１ポンプをさらに含むことを特徴とする、請求項２に記載のサクションおよび洗浄機能を有する歯ブラシ。
【請求項４】
前記外部本体は、前記第１誘導管に前記洗浄水を供給する第１ポンプ；
前記洗浄水を貯蔵する第１貯蔵部；
前記第２誘導管から前記汚水を吸入する第２ポンプ；
前記第２誘導管から伝達される汚水を貯蔵する第２貯蔵部；および
前記第１ポンプおよび第２ポンプを制御する制御部を含むことを特徴とする、請求項２に記載のサクションおよび洗浄機能を有する歯ブラシ。
【請求項５】
前記把持部に配置されるスイッチをさらに含むことを特徴とする、請求項４に記載のサクションおよび洗浄機能を有する歯ブラシ。
【請求項６】
前記制御部は、前記スイッチの動作によって前記第１ポンプの洗浄水供給強度および前記第２ポンプの汚水吸入強度を制御することを特徴とする、請求項５に記載のサクションおよび洗浄機能を有する歯ブラシ。
【請求項７】
前記外部本体は、前記制御部、第１ポンプおよび第２ポンプに電源を供給するバッテリーをさらに含むことを特徴とする、請求項４に記載のサクションおよび洗浄機能を有する歯ブラシ。
【請求項８】
前記第２誘導管は、前記ヘッド部と前記把持部が連結される部分で直径が狭くなることを特徴とする、請求項２に記載のサクションおよび洗浄機能を有する歯ブラシ。
【請求項９】
前記供給口は、前記外部本体から前記第１誘導管を通して洗浄水が伝達される場合にのみ開放されることを特徴とする、請求項２に記載のサクションおよび洗浄機能を有する歯ブラシ。
【請求項１０】
前記供給口は、前記ヘッド部の前記ブラシの形成面に配置されることを特徴とする、請求項９に記載のサクションおよび洗浄機能を有する歯ブラシ。
【請求項１１】
前記ヘッド部は、前記ヘッド部の前記ブラシの形成面に配置されるカメラを含むことを特徴とする、請求項２に記載のサクションおよび洗浄機能を有する歯ブラシ。
【請求項１２】
前記ヘッド部は、口腔内部の健康状態を感知するセンサを含むことを特徴とする、請求項２に記載のサクションおよび洗浄機能を有する歯ブラシ。
【請求項１３】
前記歯ブラシの柄に配置され、前記ヘッド部に向かって発光する発光部をさらに含むことを特徴とする、請求項２に記載のサクションおよび洗浄機能を有する歯ブラシ。
【請求項１４】
前記吸入口は、
前記ヘッド部の一端に前記第２誘導管の長手方向と並んでいる方向に開口することを特徴とする、請求項２に記載のサクションおよび洗浄機能を有する歯ブラシ。
【請求項１５】
前記第１誘導管および前記第２誘導管は、前記外部本体と連結チューブを通して互いに連結され、前記連結チューブは、前記把持部に脱着可能に連結されることを特徴とする、請求項２に記載のサクションおよび洗浄機能を有する歯ブラシ。
【国際調査報告】
2018507744.tif 000007
2018507744.tif 000008
2018507744.tif 000009
2018507744.tif 000010